(57)【要約】      （修正有）【課題】簡単な構成で信頼性のあるコンタクトおよびバスバーアセンブリの提供。【解決手段】配列方向に整列される電子機器のハウジング上にバスシステムを形成し、各々の電子機器に対するコンタクト及びバスバーアセンブリであって、夫々が電子機器のアセンブリに接触する１以上の第１の接続接触部と、複数のソケット接触部として形成され電力レールストリップに電気的に接触する為に配備される第２の接続接触部を有する複数のバスプラグと、各々が隣接する電子機器のハウジングのバスプラグ、特に第２の接続接触部に電気的に接続される複数の電力レールストリップと、直接隣接する２つの電子機器のハウジングのバスプラグを電気的に接続するための少なくとも１つの第１の電力レールストリップと、互いに離間した２つの電子機器のハウジングを電気的に接続するための第１の電力レールストリップより長い少なくとも１つの第２の電力レールストリップとを備える。【選択図】図１２ａ
2019145503.tif 000002
【特許請求の範囲】
【請求項１】
配列方向(Ｘ)に整列される電子機器のハウジング(１０１、…)上にバスシステムを形成し、各々に電子機器のアセンブリ、特に回路基板(１２１、…)が挿入されるコンタクト及びバスバーアセンブリ(１、１’)であって、
a. 夫々が電子機器のアセンブリに接触する１以上の第１の接続接触部(Ｋ１)と、複数のソケット接触部(７)として形成され電力レールストリップ(３００、３０１)に電気的に接触する為に配備される第２の接続接触部(Ｋ２)を有する複数のバスプラグ(２’)と、
b. 各々が隣接する電子機器のハウジング(１０１、…)のバスプラグ(２’)、特に第２の接続接触部(Ｋ２)に電気的に接続される複数の電力レールストリップ(３００、３０１)を備えたコンタクト及びバスバーアセンブリ(１、１’)において、
c. 直接隣接する２つの電子機器のハウジング(１０１、…)のバスプラグ(２’)を電気的に接続するための少なくとも１つの第１の電力レールストリップ(３００.１)と、互いに離間した２つの電子機器のハウジング(１０１、…)を電気的に接続するための第１の電力レールストリップより長い(Ｌ２、Ｌ３)少なくとも１つの第２の電力レールストリップ(３００.２、３００.３)とを備えるコンタクト及びバスバーアセンブリ(１、１’)。
【請求項２】
第２の電力レールストリップ(３００.２、３００.３)の長さ(Ｌ２、Ｌ３)は、
、第１の電力レールストリップの長さ（Ｌ１）よりも電子機器の１つのハウジング幅（ＥＢ）または電子機器のハウジング幅（ＥＢ）の倍数だけ長い、請求項１に記載のコンタクト及びバスバーアセンブリ。
【請求項３】
電力レールストリップ（３００、３０１）は、両端部に夫々接続部（３６）を有し、その接続長さ（ＡＬ）は、バスプラグ（２'）の第２の接続接触部（Ｋ２）の接続幅（ＡＢ）の約半分に対応する、請求項１又は２に記載のコンタクト及びバスバーアセンブリ。
【請求項４】
延長された接続部(３６’)を有する給電レールストリップ(Ｓ)を備える、請求項１乃至３の何れかに記載のコンタクト及びバスバーアセンブリ。
【請求項５】
給電レールストリップ(Ｓ)の延長された接続部(３６’)の接続長さ(ＡＬ)は、バスプラグ（２'）の第２の接続接触部（Ｋ２）の接続幅（ＡＢ）に大凡等しい、請求項４に記載のコンタクト及びバスバーアセンブリ。
【請求項６】
互いに配列方向(Ｘ)に整列された複数の電子機器のハウジング(１０１、…)と請求項１乃至５の何れかに記載されたコンタクト及びバスバーアセンブリ(１、１’)を有する、電子機器のハウジングアセンブリ(１００)。
【請求項７】
請求項６に記載された電子機器のハウジングアセンブリ(１００)の、２つの隣接する電子機器のハウジング(１０１、…)の間に配置されている取り外される電子機器のハウジング(Ｅ)を取り外す又は交換する方法であって、
隣接する電子機器のハウジング(１０１、…)のバスプラグ（２'）は夫々、電力レールストリップ(３００、３０１)によって、取り外される電子機器のハウジング(Ｅ)のバスプラグ（２'）に導電的に接続されており、
a. 取り外される電子機器のハウジング(Ｅ)を隣接する電子機器のハウジング(１０１、…)に接続している電力レールストリップ(３００、３０１)を取り外すステップと、
b. 取り外された電子機器のハウジング(Ｅ)を電子機器のハウジングアセンブリ(１００)から取り外すステップと、
c. 第２のより長い電力レールストリップ(３００.２、３００.３、３０１.２、３０１.３)によって、隣接する電子機器のハウジング(１０１、…)のバスプラグ（２'）を互いに接続するステップを備える、方法。
【請求項８】
第２の電力レールストリップ（３００、３０１）の長さは、取り外される電力レールストリップの長さと取り外される電子機器のハウジング(Ｅ)のハウジング幅(ＥＢ)との合計から計算される、請求項７に記載の方法。
【発明の詳細な説明】
【技術分野】
【０００１】
本発明は、請求項１の前提部分に記載の結合されたコンタクト及びバスバーアセンブリ、そのようなコンタクト及びバスバーアセンブリを有する電子機器のハウジングアセンブリ、及びそのような電子機器のハウジングアセンブリから電子機器のハウジングを取り外す方法に関する。
【背景技術】
【０００２】
相互に配列された電子機器のハウジングの電源及び電気信号部への簡単な取り付け及び迅速なアクセスを可能にするために、外部ガイドバスシステム、即ち、電子機器のハウジングの外側に案内されるバスシステムが知られている。そのようなバスシステムは、バスシステムのバスラインを形成する電力レール/電力レールストリップと、バスラインの電流又は電圧のタップとして夫々使用される接触部要素とを含む。そのようなコンタクト及びバスバーアセンブリは、比較的複雑でコスト高の構造をしばしば有する。
しかし、一般的なコンタクト及びバスバーアセンブリは、大きく異なる実施形態において、それ自体先行技術から知られているが、一般的に、より費用効果的にされるべきである比較的複雑な構造を有する。
ドイツ特許公開公報102017116342号及びドイツ実用新案公開公報202013103444号、及び米国公開公報2012/0264317号が従来技術として引用される。
【発明の概要】
【課題を解決するための手段】
【０００３】
このような背景に対して、本発明の目的は、構成面から比較的簡単に構成され、従って費用効果が高いがそれにもかかわらず機能的に信頼性があるコンタクト及びバスバーアセンブリを提供することである。且つ、本発明の目的は、そのようなコンタクト及びバスバーアセンブリを有して、配列方向に互いに整列された複数の電子機器のハウジングからなり、非常に容易に取り扱えて柔軟性のある電子機器のハウジングアセンブリを提供することにもある。
【０００４】
この目的から、配列方向に整列された電子機器のハウジング上にバスシステムを形成するためのコンタクト及びバスバーアセンブリが提供される。各電子機器のハウジングは、１つの電子機器のアセンブリ、例えば回路基板を受け入れる。コンタクト及びバスバーアセンブリは外部から案内される。
【０００５】
コンタクト及びバスバーアセンブリは少なくとも複数のパスプラグを有し、該バスプラグは、夫々が電子機器のアセンブリに電気的に接触する１以上の第１の接続接触部と、１以上のソケット接触部として形成され、電力レールストリップと電気的に接する１以上の第２の接続接触部と、隣接する電子機器のハウジングのバスプラグ、特に第２の接続接触部と電気的に接続する為に夫々配備される複数の電力レールストリップを有する。電力レールストリップは、バスシステムのバスラインを形成する。電力レールストリップは、部分的又は全体的に可撓性又は剛体に形成される。バスプラグは、バスラインの電流又は電圧のタップとして使用される。
【０００６】
コンタクト及びバスバーアセンブリは、互いに隣接する２つの電子機器のハウジングのバスプラグを電気的に接続するための少なくとも１つの第１の電力レールストリップと、互いに離間した２つの電子機器のハウジングを電気的に接続するためのより長い少なくとも１つの第２の電力レールストリップとを備える点で区別される。
【０００７】
電子機器のハウジングの前又は後ろで配列方向に配置された電子機器のハウジングは、ここでは互いに隣接したとして言及される。この場合、電子機器のハウジングに隣接した電子機器のハウジングは直接隣接する必要はないが、離間することも出来る。電子機器のハウジングは、それらの間に空間的な取り付け距離が存在する場合、特に、１つ以上の他の電子機器のハウジングが互いに離間した電子機器のハウジングの間に配置されている場合でも、互いに離間していると称される。
【０００８】
取付け距離を架け渡すために、より長い第２の電力レールストリップが配備される。バスライン上を流れる電流又はバスラインに印加される電圧が、電子機器のハウジング内に配置された電子機器のアセンブリに必要とされなければ、電子機器のハウジングは、バスシステムの全てのバスラインのタップとしてバスプラグを持つ必要はない。従って、より長い電力レールストリップにより、バスプラグの節約が可能となる。このようにしてコンタクト及びバスバーアセンブリのためのコストが削減されるだけでなく、むしろコンタクト及びバスバーアセンブリを取り付ける労力も相応して少ない。
【０００９】
この目的から、第２の電力レールストリップの長さは、第１の電力レールストリップの長さよりも少なくとも１つの電子機器のハウジング幅又は複数の電子機器のハウジング幅だけ長いことが好ましい。電子機器のハウジングアセンブリの全ての電子機器のハウジングが均一な電子機器のハウジング幅を有すれば、１つの電子機器のハウジング幅だけ正確に長い第２の電力レールストリップは、正確に１つの電子機器のハウジングに架け渡す。第２の電力レールストリップが複数の電子機器のハウジング幅だけより長く形成される場合、第２の電力レールストリップは第１の電力レールストリップよりもハウジング幅の倍数だけ長い分だけ、電子機器のハウジングを正確に架け渡す。
【００１０】
また好ましい実施形態では、電子機器のハウジングアセンブリの電子機器のハウジングは、電子機器の最小のハウジング幅の倍数である電子機器のハウジング幅を有する。電子機器の最小のハウジング幅よりも広い電子機器のハウジングを架け渡すために、第１の電力レールストリップよりも電子機器の最小のハウジング幅の対応する倍数だけ長い電力レールストリップが必要とされる。
【００１１】
しかし、電子機器のハウジングはまた、非常に異なる電子機器のハウジング幅を有する。この実施形態において、各場合にて、第２の電力レールストリップの長さは、架け渡されるべき１以上の電子機器のハウジングの幅に適合されなければならない。
電力レールストリップは、各両端部に接続部を有するのが好ましく、その接続長さは、バスプラグの第２の接続接触部の接続幅の約半分に相当する。次に、配列方向に互いに整列された２つの電力レールストリップを同じ第２の接続接触部に連続して差し込むことができる。電子機器のハウジングアセンブリの給電ハウジングでは、これによってＴ型エネルギー分布が可能になる。
【００１２】
しかし、電子機器のハウジングアセンブリの給電ハウジングで、より多くの電力を給電レールストリップに供給することができるためには、一実施形態では、コンタクト及びバスバーアセンブリが、延長接続部を有する給電ハウジングに設けられた少なくとも１つの給電レールストリップを備えることが好ましい。この実施形態では、この延長接続部の接続長さは、バスプラグの第２の接続接触部の接続幅に対応することが好ましい。その場合、給電レールストリップの長さは、給電ハウジング上のＴ型エネルギー分布に使用される電力レールストリップよりも接続幅の半分だけ長い。給電ストリップの接続部は、第２の接続接触部の接続幅全体に亘って延びる。これは、第２の接続接触部においてより多くの電力を給電レールストリップに供給することができるという利点を有する。
【００１３】
この目的はまた、配列方向に互いに整列された複数の電子機器のハウジングを有する電子機器のハウジングアセンブリ、及び本発明によるコンタクト及びバスバーアセンブリによっても達成される。コンタクト及びバスバーアセンブリは、電子機器のハウジング内に配置された電子機器のアセンブリを供給ライン及び/又はデータラインを介して互いに接続するバスシステムを形成する。各電子機器のハウジングは、少なくとも１つのバスプラグを有することが好ましい。バスプラグは、夫々の電子機器のハウジングの電子機器のアセンブリをバスシステムの供給ライン又はデータラインに電気的に接続するために設けられている。この場合、供給ライン又はデータラインは電力レールストリップによって形成される。
【００１４】
電子機器のハウジングはラックハウジングとして形成されるのが好ましく、更に全体的又は部分的に開いた接続側部を有するのが好ましい。コンタクト及びバスバーアセンブリは、接続側部上に配置されている。
【００１５】
本発明に従った電子機器のハウジング用のコンタクト及びバスバーアセンブリの使用は、とりわけ電子機器のハウジング内に配置された電子機器のアセンブリがバスラインを全く必要としないのであれば、電子機器のハウジングはバスシステムの全ての供給ライン及びバスシステムの全てのデータラインに対してバスプラグを有する必要はないとの利点を有する。次に、延長された電源レールストリップによって、１以上の電子機器のハウジングを次の電子機器のハウジングまで架け渡すことが可能になり、その中で電子機器のアセンブリはバスラインを使用する。
【００１６】
発明の目的は更に、そのような電子機器のハウジングアセンブリの、２つの隣接する電子機器のハウジングの間に配置されている取り外される電子機器のハウジングを取り外す又は交換する方法によって達成される。この場合、隣接する電子機器のハウジングのバスプラグは夫々、電力レールストリップによって、取り外された電子機器のハウジングのバスプラグに導電的に接続されている。方法は以下のステップを付与する。
a. 取り外される電子機器のハウジングを隣接する電子機器のハウジングに接続している電力レールストリップを取り外すステップと、
b. 取り外された電子機器のハウジングを電子機器のハウジングアセンブリから取り外すステップと、
c. 第２のより長い電力レールストリップによって、隣接する電子機器のハウジングのバスプラグを互いに接続するステップ。
【００１７】
より長い第２の電力レールストリップの使用により、例えば取り外された電子機器のハウジングの検査中に、電子機器のハウジングアセンブリの取り外された電子機器のハウジングの架け渡しが可能となる。この目的のために第２の電力レールストリップが使用されるのが好ましく、その長さは、取り外された電力レールストリップの長さと取り外された電子機器のハウジングのハウジング幅との合計から計算される。従って、取り外した電子機器のハウジングの検査中に、電子機器のハウジングアセンブリの残りの電子機器のハウジングも動作させることができる。
【００１８】
ステップbとcの間に配置された動作方法のステップにて、取り外された電子機器のハウジングはまた、取り外された電子機器のハウジングと同じハウジング幅を有するかまたはより狭いハウジング幅を有し、バスプラグを必要としない交換用電子機器のハウジングと交換することもできる。
【００１９】
本発明に従った第２のより長い電力レールストリップの使用により、電子機器のハウジング上に簡単に構成され非常にコスト効果のあるコンタクト及びバスバーアセンブリの構築が可能となる。更に、それは、電子機器のハウジングアセンブリの部品、特に取り外された電子機器のハウジングの検査中であっても、電子機器のハウジングアセンブリのさらなる動作を可能にする。
【図面の簡単な説明】
【００２０】
本発明は、例示的な実施形態に基づいて図面を参照して以下でより詳細に説明され、本発明のさらなる利点が明らかになるであろう。特許請求の範囲の意味における本発明は、以下の例示的な実施形態に限定されず、むしろ本発明は他の方法でも実施可能であることが強調される。従って別の構成で、または図示の実施形態と同等の方法で実施することができる。
【図１】問題となっている、コンタクト及びバスバーアセンブリを有する電子機器のハウジングアセンブリの第１の斜視図を示す。
【図２】図１のコンタクト及びバスバーアセンブリを示し、ハウジングカバーが無い。
【図３】図１及び図２のコンタクト及びバスバーアセンブリの一部の斜視図である。
【図４】図３からバスバーアセンブリの一部が打ち抜かれた図を示す
【図５】バスバーアセンブリを示す。
【図６ａ】図１から図５までのタイプのコンタクト及びバスバーアセンブリの分解図である。
【図６ｂ】図１から図５までのタイプのコンタクト及びバスバーアセンブリの分解図である。
【図７】本発明に従ったコンタクト及びバスバーアセンブリを有する図１の電子機器のハウジングアセンブリの更なる斜視図である。
【図８】図７の電子機器のハウジングアセンブリの平面図である。
【図９】本発明による電子機器のハウジングアセンブリの概略的に示された変形例の上面図を示し、図８とは異なるように構成されたコンタクト及びバスバーアセンブリを有する。
【図１０ａ】特に図９の変形例のために構成されたバスプラグの斜視図である。
【図１０ｂ】図１０aのバスプラグの側面図である。
【図１０ｃ】図１０bの直線Ａ-Ａを通って延び、図１０aの図面の平面に垂直な平面を通る断面の一部を示す。
【図１０ｄ】図１０bの詳細部分Ｂを拡大して示す。
【図１１ａ】点線で示す回路基板上に配置される図１０のバスプラグの変形例を示す。
【図１１ｂ】点線で示す回路基板上に配置される図１０のバスプラグの変形例を示す。
【図１１ｃ】図１１aの要素を分解して示す。
【図１１ｄ】図１１cの詳細部分Ｘを拡大して示す。
【図１１ｅ】図１１cの変形例用に構成されたバスプラグの斜視図である。
【図１２ａ】本発明に従ったコンタクト及びバスバーアセンブリの斜視図である。
【図１２ｂ】図１２aのコンタクト及びバスバーアセンブリの分解図である。
【図１３ａ】本発明に従った、配列方向に互いに整列された複数の電子機器のハウジングを有する電子機器のハウジングアセンブリ、及びコンタクト及びバスバーアセンブリを示す。
【図１３ｂ】電子機器のハウジングを取り外した後の電子機器のハウジングアセンブリを示す。
【図１４】本発明に従った、配列方向に互いに整列された複数の電子機器のハウジングを有する更なる電子機器のハウジングアセンブリ、及びコンタクト及びバスバーアセンブリを示す。
【発明を実施するための形態】
【００２１】
図１は、電子機器のハウジングアセンブリ１００を示す。電子機器のハウジングアセンブリ１００は、複数の電子機器のハウジング１０１、１０２…を有し、これらは互いに配列方向Ｘに直接隣接して配置されてもよく、あるいは少なくとも間接的に配列方向Ｘに隣接して配置されてもよい。ここには、互いに隣接して配置された４つの電子機器のハウジング１０１、１０２、１０３、１０４が設けられている。
【００２２】
電子機器のハウジング１０１、１０２、１０３、１０４は、ラックハウジングとして、またはここに示されるように表面実装ハウジングとして、ここではネジ止めハウジングとして構成することができ、それらは例えばネジを使用して、ベース（ここには示されていない）の固定手段１０５に固定可能である。
電子機器のハウジング１０１、１０２、１０３、１０４は夫々、主ハウジング１０６と、ここでは主ハウジング１０６の狭い開口側を覆うカバー１０７とを有する（図２も参照）。この場合、カバー１０７自体が一種の窓１０８または周辺開口部を有する。
【００２３】
少なくとも１つの回路基板１２１、１２２、１２３、１２４が各電子機器のハウジング１０１、１０２…に挿入される。これらの回路基板１２１、１２２、１２３、１２４は、ここでは配列方向Ｘに対して垂直に及び/又はＹ-Ｚ平面に対して平行に整列されているので、それらは電子機器のハウジング１０１、１０２に対して本質的に平行に形成されている。軸Ｘ、Ｙ及びＺは、デカルト座標系の３つの軸を形成する。
【００２４】
コンタクト及びバスバーアセンブリ１が回路基板１２１、１２２上に形成されて、互いに隣接して配置された電子機器のハウジング１０１、１０２…上に１つ又は複数のバスシステムを形成する。この点に関して、及びコンタクト及びバスバーアセンブリの構造に関して、特に図３以降を参照する。
コンタクト及びバスバーアセンブリ１は先ず、各電子機器のハウジング１０１、…上にバスプラグ２を有する（図３参照）。
【００２５】
コンタクト及びバスバーアセンブリ１はさらに、隣接する電子機器のハウジング１０１のバスプラグ２を互いに導電的に接続する１つ以上のバスバーアセンブリ３を有する。
これは以降により詳細に説明される。
ここで少なくとも１つのバスプラグ２が各回路基板１２１、１２２…に位置する。示された実施形態において、正確に１つのバスプラグ２が電子機器のハウジング１０１…ごとに設けられている。このバスプラグは、夫々の電子機器のハウジング１０１内の夫々の回路基板１２１から１２４に接触する。
【００２６】
１以上のバスプラグ２は同一又は略同一に形成される。そのようなバスプラグ２の好ましい構造が以降により詳細に記載される。このように、構造は、接触部Ｋ１の異なる構成を除いて、例示された例示的な実施形態における４つのバスプラグ２の全てに移行する(transfer)ことができる。
【００２７】
バスプラグ２は、第１の接続接触部Ｋ１を有する第１の接続面Ａと第２の接続接触部Ｋ２を有する第２の接続面Ｂとを有するハウジング４を有する（図３乃至図６参照）。米国公開公報2012/0264317号に関し、中間アダプタプラグ、従って夫々の回路基板とバスプラグとの間のさらなる接触領域は、このように省略される。
【００２８】
第１の接続面Ａ上の第１の接続接触部Ｋ１は、ここでは好ましくは第１のバスプラグ上にねじ６a(図１１)及びナット６を有するねじ端子５ａとして構成されているが、これは必ずしも必要ではない。回路基板はねじ端子５ａを用いて接触し、ねじ６ａは、回路基板１２１及び第１の電子機器のハウジング１０１のねじ端子５ａ（ねじ用の通路開口部を有する一種の金属タブ）を介して回路基板を貫通し、電気エネルギーをバスバーアセンブリ１に供給することができ、バスバーアセンブリ１を介して配列された電子機器のハウジング１０２、１０３、１０４の配列された回路基板１２２、１２３、…に供給される
【００２９】
第１の接続面Ａ上の残りのバスプラグ２の第１の接続接触部Ｋ１は、ここでは、夫々の回路基板１２２…に導電的に接触するはんだピン５ｂとして構成されるのが好ましいが、これは必ずしも必要ではない。はんだピン５ｂは、配列方向Ｘと平行にまたは配列方向Ｘに延びることが好ましい。１つの変形例に従って、はんだピン５ｂは片側またはその端部の一方からしか接触できない。はんだピン５ｂは、最初に夫々の回路基板１２１、…に設けられ、次にバスプラグ２の電力レールストリップなどのはんだ面に直接固定されることもできる。
これらのはんだ面等は、第１の接続接触部Ｋ１を形成する。
【００３０】
第１の接続接触部Ｋ１が実際の回路基板１２１、…と接触する接触領域は、電子機器のハウジング１０１の内側にあってもよい。ここでは一体となっているバスプラグ２のハウジング４の反対側の第２の接続接触部Ｋ２は、ハウジング４から突出する１つ又は複数のチューリップ接触部として形成されたソケット接触部７として形成されるのが好ましい。この場合、これらのソケット接触部７は夫々互いに離間しかつ互いに対向するスプリング脚部を有し、各スプリング脚部の間には一種のスロット付き接触領域８が形成されている。各スロット付き接触領域８は配列方向Ｘに平行に整列されているのが好ましい。
【００３１】
第２の接続接触部Ｋ２は、電子機器のハウジング１０１、１０２、…を越えてハウジングの接続面Ａから外側に突出することが好ましい。ここで第１及び第２の接続接触部Ｋ１及びＫ２又は５ａ又は５ｂ及び７は夫々、例えば１つまたは複数のバスバー片などを介して互いに導電的に接続することができる（ここでは見えない）。
各々が複数の第１の接続接触部Ｋ１と２つの第２の接続接触部Ｋ２またはソケット接触部７とを夫々有する１つのバスプラグ２が、ここでは電子機器のハウジング１０１、１０２…ごとに設けられている。
【００３２】
この場合、使用される要素のこれら及び以下の数値例は例であると考えられるべきであり、そしてまた有利であるが一方、必須ではない。以下により詳細に記載されるもの以外の他の数の要素/構成要素もまた提供され得る。接触部は、バスプラグ２ごとに２つの電位を接続または分配することができるように更に分配されることが好ましい。
バスプラグ２のソケット接触部７は、配列方向Ｘに平行な２列Ｒ１、Ｒ２に配置されており、好ましくはスロット付き接触領域８も夫々配列方向Ｘに平行に整列している。
【００３３】
この場合、第１の接続接触部Ｋ１は、夫々の回路基板１２１をエネルギーバス及び/又はデータバスと接触させるために使用され、第２の接続接触部Ｋ２はバスバーアセンブリ３に接触して、エネルギー及び/又はデータバスの夫々の電位を回路基板１２１から回路基板１２２に中継し、及び/又は互いに隣接して配列された電子機器のハウジング１０１の１つから他方のハウジング１０１に中継するために使用される。従って、バスバーアセンブリ３は必要であり、バスバーアセンブリ３を用いて電位の中継の仕事は単純な構成手段を用いて実行される。
好ましいバスバーアセンブリ３は、１つまたは複数の電力レールストリップ３０、３１及びカバー３２から形成される（図５及び図６を参照）。しかし、電力レールは、全てのバスプラグに亘って連続的に形成することができ、またはこれらのバスプラグ２のうちの個々のものを接続することしかできない。電力レールは、これらのバスプラグ２のうちの２つ以上を導電的に接続するために、接触ブレードのようにバスプラグ２又はそのソケット接触部７に挿入される。
【００３４】
カバー３２は、留め手段３３を備えていることが好ましく、該留め手段を使用して、カバー３２は、バスプラグ２のハウジング４の対応する反対側の留め手段９上にロック可能である。
電力レールストリップ３０、３１…は、導電性の良い材料、特に銅アロイのような導電性の良い金属から構成される。
電力レールストリップ３０、３１…は更に、少なくとも部分的に、少なくとも電力レールストリップ１０の主延在方向に対して垂直に可逆的に撓み変形可能である。
【００３５】
要求される可撓性の構成は、夫々の電力レールストリップ３０、３１が少なくとも部分的に、ここでは部分３０ａ、３１ａにおいて、金属ワイヤで作られた一種の単層または多層の編体から形成されることで達成される。
可撓性の構成はあるいはまた、例えば、少なくとも部分３０ａ、３１ａにおいて、スラットのように平行に積層された複数の薄板金属ストリップから形成されている電力レールストリップ３０、３１によって、別の方法で達成することもできる。
【００３６】
銅アロイは、電力レールストリップ３０、３１を製造する金属として用いられるのが好ましい。
非可撓性の部分３０ｂ、３０ｃ又は３１ｂ、３１ｃは夫々、これら可撓性部分３０ａ、３１ａの夫々に隣接することが好ましい。
この方法にて、各場合にて、配列方向に対して垂直方向に少なくとも部分的に可撓性である電力レールストリップ３０または３１が形成される。
【００３７】
非可撓性の部分３０ｂ、３０ｃ又は３１ｂ、３１ｃは、各対応するカバー３２の内側に固定されるのが好ましい。各場合において、各非可撓性の部分３０a、３１aは、２つの隣接するバスプラグ２間を延びることが提供され、カバー３２はバスプラグ２の領域にのみ付与される。
各場合において、電力レールストリップは、カバー３２上の非可撓性の部分３０ｂ、３０ｃ又は３１ｂ、３１ｃに固定されるのが好ましく、カバー３２上のピン３４は非可撓性の部分３０ｂ、３０ｃ、３１ｂ、３１ｃの受入れ孔３５に係合する（図６）。
【００３８】
電力レールストリップ３０、３１は、複数のカバー３２またはバスプラグ２、好ましくは２つに亘って延在し、従って少なくとも２つ以上のバスプラグ２を互いに接続する（図５及び図６）。ソケット接触部７の領域にて、電力レールストリップ３０、３１は、夫々の回路基板１２２、１２２、…への潜在的な中継のために、または最も近いバスバー部分３０乃至３０'への潜在的な中継のためなどにも使用され得る。隣接する電子機器のハウジング１０１、…のソケット接触部７が、配列方向に隣接する各２つの電力レールストリップ３０、３０'または３１、３１'を互いに導電的に接続することが必要かつ有利である（図６参照）。
【００３９】
第１の電子機器のハウジング１０１内に、本明細書では給電モジュールとも呼ぶことができる２つの電力レールストリップ３０、３１をソケット接触部７全体にわたって連続的に形成することができ、電力レールストリップ３０、３１は、バスプラグ２を有する隣接する電子機器のハウジング１０２まで延びることができ、その中の２つのソケット接触部７と接触することができる。
しかし、代替の変形例に従って、電力レールストリップ３０、３１はその全長に亘って可撓性として構成され得る。
【００４０】
１つまたは複数の電力レールストリップ３０、３１が、配列方向Ｘに対して少なくとも垂直に（Ｙ方向に）断面的または連続的に可撓性を有する構成ゆえに、例えば、電子機器のハウジング１０１、…の取り付けベース上での配置から生じる構造内の公差、及び使用される構成要素のさらなる公差から生じる構造内の公差は、簡単な方法で補償することができることは特に有利である。好ましくは、特にワイヤ編体が可撓領域に使用されると、許容誤差は、配列方向Ｘ及び/又はＺ方向（ハウジングの高さ＝垂直／ハウジングの幅＝平行）でも補償することができる。
【００４１】
互いに配列されたバスプラグ２間に、可撓性が制限された絶縁体で電力レールストリップを設けることも考えられる。
バスプラグ２及び/又はカバー３２のハウジングは、１つまたは複数の部品に形成することができ、特に複数のハウジング半体３２ａ、ｂから組み立てることができる。彼らはおそらくステップなどで互いに係合することができる。ハウジング半体３２ａ、３２ｂは互いにロック可能であり得る。図６はそのような変形例を示している。
【００４２】
ピン３４はまた、ハウジング半体３２ａ、３２ｂを開口等にセンタリングする、またはそれらを追加的に接続する目的で使用することもできる。
より高い電流及び/又はより高いレベルのエネルギーもまた、１つまたは複数の電力レールストリップ３０、３１を使用して容易に伝送することができる。
このようにして、電子機器のハウジング１０１、…のうちの２つ以上にわたって、そのバスプラグ２を直接導電的に接続することが容易に可能である。この目的から、予め取り付けられた電力レールストリップ３０、３１を有するカバー３２がバスプラグ上に差し込まれ、その中に差し込まれる。この場合に生じる公差の変動は、カバー３２間の領域内の可撓性部分３０ａ、３１ａによって補償される（図７及び図８参照）。
【００４３】
図９は、電子機器のハウジングアセンブリ１００’のさらなる変形例の概略図を示す。この電子機器のハウジングアセンブリ１００’はまた、複数の電子機器のハウジング１０１’、１０２’、…を有し、ハウジング１０１’、１０２’、…は互いに直接配列することができるか、または配列方向Ｘに互いに少なくとも間接的に隣接して配列することができる。ここでは、例として、互いに隣接して配列された４つの電子機器のハウジング１０１'、１０２'、１０３'、１０４'が設けられている。ハウジング１０１'、１０２'、１０３'、１０４'は配列方向Ｘに互いに配列されている。（少なくとも）配列方向Ｙに対して垂直なＹ方向において、電子機器のハウジングは、公差のために互いに対してわずかにずれている。これは図９に良く示される。
【００４４】
電子機器のハウジングアセンブリ１０１'乃至１０４'は、全体的に本質的に図１乃至図８の電子機器のハウジングアセンブリと同様に構成することができる。従って、図１から図８までの上記の説明を参照する。これは、以下で説明する違いを除いて、同様に使用可能であるか、または図９及び図１０及び図１１にも適用される。
【００４５】
コンタクト及びバスバーアセンブリ１は、ここでもまた、隣接する電子機器のハウジング１０１’のバスプラグ２’を互いに導電的に接続する１つ以上のバスバーアセンブリ３’を有する。コンタクト及びバスバーアセンブリの変形例の実施形態にて、電力レールストリップ３００、３０１は剛体に構成される。これは電力レールストリップが特に可撓性に構成された部分を持っていないことを意味する。電力レールストリップ３００、３０１はむしろ、良好な導電性を有する材料、特に金属または金属合金から所定の長さに切断された金属レールストリップを有する。それらは、プラスチックまたは他の絶縁材料を使用して部分的にコーティングすることができ、及び/又はカバーを備えることができる（例えば、図１乃至図８のように認識できない）。
【００４６】
電力レールストリップ３００、３０１によってバスプラグ２を種々の配列方向、特に隣接する電子機器のハウジング１０１’乃至１０４’の配列方向に接続すべく、配列方向Ｘに垂直なオフセットの公差補償は、電力レールストリップ３００、３０１’を介して行われず、又は電力レールストリップ３００、３０１’のみで実行されるのではなく、むしろバスプラグ２’を介して行われることが規定される。むしろ、２つの隣接する電力レールストリップ３００、３０１が夫々ソケット接触部７'と接触するように差し込み可能であるバスプラグ２'のソケット接触部７'は、電力レールストリップ３０'、３１'もまた、非線形方向に及び/又は配列方向に対して傾斜して差し込むことができるように構成されていることが規定される。
【００４７】
これは種々の方法で実行される。図９、図１０及び図１１に示された実施形態に従って、ソケット接触部７’（図１０及び図１１参照）は夫々互いに離間した対向するばね脚部を有し、ばね脚部の間には一種のスロット付き接触領域８’が夫々形成されている。夫々のスロット付き接触領域８’は、配列方向Ｘに平行に整列しているのが好ましい。これらのソケット接触部は一種の多重チューリップを有する。
【００４８】
更に、ソケット接触部７’の対向するばね脚部は、更に配列方向Ｘに複数、ここでは例として６つの接触舌部７１ａ、ｂ、ｃ、ｄ、ｅ、ｆ及び７２ａ、ｂ、ｃ、ｄ、ｅ、ｆに分割されており、接触舌部は夫々配列方向Ｘにおいてノッチ７３によって互いに分離されている（図１０ａ参照）。この点に関して、準可撓性の変形可能なソケット接触部７が得られる。
接触舌部７１ａ、ｂ、ｃ、ｄ、ｅ、ｆ及び７２ａ、ｂ、ｃ、ｄ、ｅ、ｆは互いに対向しているのが好ましい。図示した以外の数の接触舌部７１ａ、ｂ、ｃ、ｄ、ｅ、ｆ及び７２ａ、ｂ、ｃ、ｄ、ｅ、ｆへの分割も可能である。接触舌部７１ａ、ｂ、ｃ、ｄ、ｅ、ｆ及び７２ａ、ｂ、ｃ、ｄ、ｅ、ｆの夫々２つは互いに揃えられて(complete)、一種の接触チューリップを形成することができる。スロット付き接触領域８’は、２列の接触舌部７１ａ、ｂ、ｃ、ｄ、ｅ、ｆ及び７２ａ、ｂ、ｃ、ｄ、ｅ、ｆの間に形成される。
【００４９】
接触舌部(ここでは、７１ａ、ｂ、ｃ及び７２ａ、ｂ、ｃ)の一方の部分(例えば、各半分)は、隣接するソケット接触部７'から夫々の第１の電力レールストリップ３００、３０１の端部に接触するために使用され、接触舌部の他方の部分（ここでは７１ｄ、ｅ、ｆ及び７２ｄ、ｅ、ｆ）は、隣接する電力レールストリップ３００、３０１を反対側で隣接するさらなるソケット接触部７'と接触させるために使用されることが好ましい。電子機器のハウジングアセンブリ１００’の第１又は最後の電子機器のハウジングにて、各ソケット接触部７の全ての接触舌部７１ａ、ｂ、ｃ、ｄ、ｅ、ｆ及び７２ａ、ｂ、ｃ、ｄ、ｅ、ｆは、電力レールストリップ３０、３１'の各端部によって全体として接触することができる。例えば、より多くの接触部を介してより高い電力を供給することができる。
【００５０】
公差の故に、電力レールストリップ３００、３０１が配列方向に対して斜めに立たなければならなくとも、隣接する電子機器のハウジングの隣接するバスプラグ２と接続するために、この構成は各接触舌部７１ａ、ｂ、ｃ、ｄ、ｅ、ｆ及び７２ａ、ｂ、ｃ、ｄ、ｅ、ｆが別々に、特に異なる量だけ撓むことが出来るとの利点を提示する。この場合、それにも拘わらず、良好な電気的接触が確実になる。そのような状況は図９に概略が示される。この場合、図９にて例えば図１０ａ）乃至ｄ）及び図１１ａ）乃至ｅ）のようなソケット接触部を有するバスプラグ２を使用することができる。
【００５１】
更に有利なことに、接触舌部７１ａ、ｂ、ｃ、ｄ、ｅ、ｆ及び７２ａ、ｂ、ｃ、ｄ、ｅ、ｆは相互に対向する側（即ち、実際の接触側に向かう）に向かって断面丸形（図１０ｄの半径Ｒ１）に形成され、または接触側に向かって凸状になるように形成されている。この目的から、対応するエンボス加工を接触舌部７１ａ、ｂ、ｃ、ｄ、ｅ、ｆ及び７２ａ、ｂ、ｃ、ｄ、ｅ、ｆに導入することができ、それによって凸状の接触領域７４が夫々の接触側に向かって形成される。
これは図１０ａ）、ｂ）、ｃ)及びｄ)に見られる。この方法で、公差により配列方向に対して斜めに配列された電力レールストリップ３００、３０１の接触は容易になる、何故なら電力レールストリップ３００、３０１は、傾斜位置の結果として、夫々接線方向に、またはいずれにせよ夫々の接触領域７４に最適化されるようになるからである。
【００５２】
１つのオプションに従って、第１の接続面Ａ上の１つまたは複数の第１の接続接触部Ｋ１もまた、ナット付きまたはナットなしでねじ端子５ａとして形成されており、これは図１１ａ）乃至ｅ）に示される。このねじ端子５ａは、ねじ６ａを貫通させることができ、ここで夫々の回路基板-１２１を貫通することができる。この場合、突起７５が夫々のソケット接触部７'上にさらに設けられ、それは対応する開口部、例えば接触されるべき回路基板（例えば１２１）の通過孔１２５'内に形状嵌合するように係合する。この方法にて、追加のツイストロックまたは一種の整列補助具が、夫々のソケット接触部７’と夫々の回路基板（例えば、１２１）との間に簡単な方法で実装されており、各ソケット接触部７’は回路基板１２１上のラグ７６によって形状嵌合するように支持されている（また、図１１ａ）乃至ｅ）を参照）。
【００５３】
図１２(a)は本発明に従ったコンタクト及びバスバーアセンブリ１’の斜視図であり、図１２(b)は図１２(a)のコンタクト及びバスバーアセンブリ１’の分解図である。コンタクト及びバスバーアセンブリ１’は複数のバスプラグ２'を有し、該複数のバスプラグ２'は、夫々電子部品のアセンブリ１２１、…と電気的に接触するために設けられた第１の接続接触部Ｋ１と、ソケット接触部７として構成され、電力レールストリップ３００、３０１に電気的に接触するために設けられた第２の接続接触部Ｋ２を有する。更に、コンタクト及びバスバーアセンブリ１’は、隣接する電子機器のハウジング１０１…のバスプラグ２の第２の接続接触部Ｋ２を夫々電気的に接続するための複数の電力レールストリップ３００、３０１を有する。ここに提示された例示的な実施形態にて、電力レールストリップ３００、３０１は剛体に形成されている。しかしながら、本発明は、少なくとも部分的に又は全体的に可撓性に形成されている電力レールストリップにも適用可能である。
【００５４】
配列方向Ｘに互いに隣接して配置された２つのバスプラグ２'は、ここでは常に１つの電気的絶縁ハウジング４内に収容されている。従って、２つの電力レールストリップ３００、３０１は、各バスプラグ２'内に互いに平行に配置され得る。この場合、各電力レールストリップ３００、３０１はバスシステムの１本のバスラインを表す。
両バスプラグ２'の第２の接続接触部Ｋ２は、夫々互いに独立して１つの回路基板１２１、１２２、１２３に接続される。両バスラインは、このように回路基板１２１、１２２、１２３にて夫々互いに独立して利用可能である。
【００５５】
電力レールストリップは、電気的絶縁カバー３２ｃ、３２ｄ内に収容されている接続部３６、３６'を有する。電力レールストリップ３００、３０１をバスプラグ２'に差し込むために、カバー３２ｃ、３２ｄがハウジング４に差し込まれる。同時に、カバー３２ｃ、３２ｄ内に収容された電力レールストリップ３００、３０１の接続部３６、３６'は、ハウジング４内に配置された２つのバスプラグ２'のうちの１つのソケット接触部７として形成された第２の接続接触部７に挿入されて、電気接触部を形成する。同時にカバー３２ｃ、３２ｄはハウジング４上にロックされる。
【００５６】
電力レールストリップ３００、３０１は、ここでは異なる長さＬ１、Ｌ２を有することが判る。特に、コンタクト及びバスバーアセンブリ１’は、２つの直接隣接する電子機器のハウジング１０１、…のバスプラグ２'を電気的に接続するより短いＬ１の第１の電力レールストリップ３００.１(図１３a、b参照)と、互いに離れた２つの電子機器のハウジング１０１を電気的に接続するより長いＬ２の第２の電力レールストリップ３００.２を有する。電力レールストリップ３００、３０１の長さは、ここでは、コンマまたは符号内の点の後に追加された番号によって示される。
【００５７】
より長い第２の電力レールストリップ３００.２は、２つの電子機器のハウジング１０１、…間の取り付け距離を架け渡すために設けられている。電子機器のハウジング１０１内に配置された電子機器のアセンブリ１２１、…が伝導される電流または印加される電圧を必要としないとき、全ての電子機器のハウジングは、全てのバスラインについて、バスプラグ２'を有する必要はない。そのような長い第２の電力レールストリップ３００.２の使用により、バスプラグを節約し、取付け努力を減じることが出来る。この目的から、第２の電力レールストリップ３００.２の長さＬ２は、第１の電力レールストリップ３００.１の長さＬ１よりも電子機器のハウジング幅ＥＢまたはその倍数だけ長くなるように設けられる。電子機器のハウジングアセンブリ１００の全ての電子機器のハウジング１０１、…のハウジング幅ＥＢが一定である状態、又は全ての電子機器のハウジング１０１のハウジング幅ＥＢが最小の電子機器のハウジング幅ＥＢの倍数である場合は、そのようなより長い第２の電力レールストリップ３００.２、３００.３を用いて、…少なくとも１つの（欠けている）電子機器のハウジング１０１、…または複数の電子機器のハウジング１０１、…を架け渡すことができる。
【００５８】
更に、図１２はコンタクト及びバスバーアセンブリ１’のカバーを示し、それらの接続幅ＡＢは互いに異なって設けられている。カバー３２ｃ、３２ｄは、第２の接続接触部Ｋ２の接続幅ＡＢ、又は第２の接続接触部Ｋ２の接続幅ＡＢの半分のいずれかを有する。この場合、電力レールストリップ３００、３０１はカバー３２ｃ、３２ｄを大凡完全に貫通する。これにより、後述するように、電子機器のハウジングアセンブリ１００内で異なる給電及び/又は分配が可能になる。
【００５９】
図１３(a)は、本発明に従った、配列方向Ｘに互いに整列された複数の電子機器のハウジング１０１、…を有する電子機器のハウジングアセンブリ１００、及びコンタクト及びバスバーアセンブリ１’を示す。図１３(b)は、電子機器のハウジング１０２を取り外した後の電子機器のハウジングアセンブリ１００を示す。この電子機器のハウジング１０２は、ここでは取り外された電子機器のハウジングＥとして識別される。
コンタクト及びバスバーアセンブリ１’は、取り外される電子機器のハウジングＥを取り外すために、より長い第２の電力レールストリップ３００.２、３０１.２を既に有していることが判る。これらのより長い第２の電力レールストリップ３００.２、３０１.２は、電力レールストリップ３００.２、３０１.２を介して送信される信号または電力レールストリップ内に供給される電流を必要としない電子機器のハウジングを架け渡す。
【００６０】
例えば、取り外される電子機器のハウジング１０１…に配置された電子機器のアセンブリ１２１を検査する目的で、電子機器のハウジングアセンブリ１００から取り外される電子機器のハウジングＥを取り外すために、取り外される電子機器のハウジングＥを隣接する電子機器のハウジング１０１、…に接続している電力レールストリップ３００.１、３０１.１、３００.２、３０１.２が取り外される。電子機器のハウジングアセンブリ１００の取り外される電子機器のハウジングＥが続いて取り外される。電子機器のハウジングアセンブリ１００をその後さらに使用可能にするために、隣接する電子機器のハウジング１０１、…のバスプラグ２は、続いて、第２のより長い電力レールストリップ３００.３、３０１.３によって互いに接続される。
【００６１】
電子機器のハウジング１０１、…の幅Ｄはここでは均一に選択される。従って、ここでは第２の電力レールストリップ３００.３が使用されて、その長さＬ３は、取り外された電力レールストリップ３００.１、３０１.１、３００.２、３０１.２の長さＬ１、Ｌ２の合計に電子機器の均一なハウジング幅ＥＢを加えて計算される。
しかし、取り外された電子機器のハウジングＥはまた、交換用の電子機器のハウジング（図示せず）と任意に交換することもできる。
【００６２】
図１４は本発明に従って、配列方向Ｘに互いに整列された複数の電子機器のハウジング１０１、…を有する更なる電子機器のハウジングアセンブリ１００、及びコンタクト及びバスバーアセンブリ１’を示す。
図１３の電子機器のハウジングアセンブリ１００に関して、図１４の電子機器のハウジングアセンブリ１００は、更に電子機器のハウジング１０５を有する。給電モジュール(識別されない)として使用される給電用の電子機器のハウジング１０４が、更なる電子機器のハウジング１０５の前で配列方向Ｘに整列されている。
【００６３】
給電用の電子機器のハウジング１０４に使用されるカバー３２ｃ、３２ｄは、異なる接続幅ＡＢを有することが分かる。図１４の電子機器のハウジングアセンブリのコンタクト及びバスバーアセンブリ１’の上部Ｄのカバー３２ｄは、バスプラグ２'の第２の接続接触部Ｋ２の接続幅ＡＢを有する。図１４の電子機器のハウジングアセンブリのコンタクト及びバスバーアセンブリ１'の下部Ｃのカバー３２ｃは、第２の接続接触部Ｋ２の接続幅ＡＢの半分の幅を有する。
【００６４】
電力レールストリップ３００、３０１はカバー３２ｃ、３２ｄを大凡完全に貫通する。この目的から、電力レールストリップは両端部の夫々に接続部３６、３６'を有する。これは、部分的に可撓性に形成された電力レールストリップの例で図６aに見られる。ここに示された実施形態にて、電力レールストリップ３０は一端に接続部３６'を有し、その接続長さＡＬは他端の接続部３６の接続長さＡＬの２倍である。この場合、２倍にされた接続長さＡＬは、第２の接続接触部Ｋ２の接続幅ＡＢにほぼ対応する。このような電力レールストリップは、ここでは給電用の電力レールストリップＳとも呼ばれる。
【００６５】
そのような給電用の電力レールストリップＳは、図１４の電子機器のハウジングアセンブリのコンタクト及びバスバーアセンブリ１'の上部Ｄに設けられている。電力レールストリップＳは、その２倍の接続長さＡＬの接続部３６'で、第２の接続接触部Ｋ２全体を貫通する。従って、より多くの電力を電力レールストリップ３００、３０１に供給することができる。
仮に、接続部３６の接続長さＡＬが、バスプラグ２'の第２の接続接触部Ｋ２の接続幅ＡＢの約半分に相当する場合、配列方向Ｘに互いに配列された２つの電力レールストリップ３００、３０１を同じ第２の接続接触部Ｋ２に連続して差し込むことができる。これは、図１４の電子機器のハウジングアセンブリのコンタクト及びバスバーアセンブリ１'の下部Ｄの場合である。そこでＴ型エネルギー分布を実行することができる。しかし、供給できる電力は少なくなる。
【符号の説明】
【００６６】
コンタクト及びバスバーアセンブリ          １、１’
バスプラグ                                ２、２’
電力レールアセンブリ                      ３、３’
ハウシング                                ４
ねじ端子                                  ５a
はんだピン                                ５b
ナット                                    ６
ソケット接触部                            ７、７’
接触舌部                                  71a、b、c、d、e、f及び72a、b、c、d、e、f
ノッチ                                    ７３
突起                                      ７５
接触領域                                  ８、８’
反対側の留め手段                          ９
電力レールストリップ                      ３０、３１、３０’、３１’
部分                                      ３０a, b, c;  ３１a, b, c
カバー                                    ３２
留め手段                                  ３３
ピン                                      ３４
受入れ孔                                  ３５
電力レールストリップ                      ３００、３０１
電子機器のハウジングアセンブリ            １００
電子機器のハウジング                      １０１、１０２、１０３、１０４
固定手段                                  １０５
主ハウジング                              １０６
カバー                                    １０７
窓                                        １０８
回路基板                                  １２１、１２２、１２３、１２４
第１の接続側部                            Ａ
第１の接続接触部                          Ｋ１
第２の接続側部                            Ｂ
第２の接続接触部                          Ｋ２
配列方向                                  Ｘ
方向                                      Ｙ、Ｚ
電力レールストリップの長さ                Ｌ１、Ｌ２、Ｌ３
電子機器のハウジングの幅                  ＥＢ
接続幅                                    ＡＢ
接続長さ                                  ＡＬ
コンタクト及びバスバーアセンブリの上部    Ｄ
コンタクト及びバスバーアセンブリの下部    Ｅ
【図１】
2019145503.tif 000003
【図２】
2019145503.tif 000004
【図３】
2019145503.tif 000005
【図４】
2019145503.tif 000006
【図５】
2019145503.tif 000007
【図６ａ】
2019145503.tif 000008
【図６ｂ】
2019145503.tif 000009
【図７】
2019145503.tif 000010
【図８】
2019145503.tif 000011
【図９】
2019145503.tif 000012
【図１０ａ】
2019145503.tif 000013
【図１０ｂ】
2019145503.tif 000014
【図１０ｃ】
2019145503.tif 000015
【図１０ｄ】
2019145503.tif 000016
【図１１ａ】
2019145503.tif 000017
【図１１ｂ】
2019145503.tif 000018
【図１１ｃ】
2019145503.tif 000019
【図１１ｄ】
2019145503.tif 000020
【図１１ｅ】
2019145503.tif 000021
【図１２ａ】
2019145503.tif 000022
【図１２ｂ】
2019145503.tif 000023
【図１３ａ】
2019145503.tif 000024
【図１３ｂ】
2019145503.tif 000025
【図１４】
2019145503.tif 000026
【外国語明細書】
2019145503000001.pdf